(57)【要約】【課題】大当りに当選した際に第２入賞口の開放までに要する時間を報知し、本開放のタイミングに合わせて貯留装置に貯留された遊技球を開放することで、第２大入賞口に多数の遊技球を入球させることができる遊技機を提供する。【解決手段】遊技領域３ａに打ち出された遊技球の一部は、貯留装置２６の貯留部２６ｃに貯留することができ、貯留した遊技球は、遊技者が手動操作部２０を操作することにより任意のタイミングで解放することができる。貯留した遊技球を解放するタイミングは、始動入賞口３２への入球を契機に抽選が行われ、抽選に当選した場合には画像表示装置２５に区画して設けた報知部２５ａに第２大入賞口５の開放までの残時間が報知される。遊技者は残時間を計りながら手動操作部２０を操作して、第２大入賞口５に多数の遊技球を入球させることができる。【選択図】図２
2007267881.tif 000002
【特許請求の範囲】
【請求項１】
遊技機本体に備えた遊技盤の遊技領域に、大当たり抽選で当選した際に開放する大入賞口と、該大当たり抽選の契機となる入賞が行われる始動入賞口と、を有し、前記遊技領域に遊技球を打ち出して遊技してなる遊技機であって、
前記遊技領域に打ち出された遊技球を所定数だけ貯留する貯留部と、該貯留部の前記大入賞口に向いた球放出口を開閉する開閉部材と、を有する貯留装置を備え、
前記遊技機本体に、前記開閉部材を開放させる手動操作部を備えてなる、
ことを特徴とする遊技機。
【請求項２】
前記遊技領域にセンター役物を備え、
前記貯留装置は、前記センター役物に配置されてなる、
請求項１記載の遊技機。
【請求項３】
前記大当たり抽選を実行する抽選手段と、
該抽選手段による大当たり抽選で当選したとき、前記大入賞口を何秒後に開放させるかを選択決定して該開放の旨を報知する報知手段と、を備えてなる、
請求項１又は２記載の遊技機。
【請求項４】
前記報知手段は、予め設定された複数の時間データを有するデータテーブルを有し、前記抽選手段による大当たり抽選で当選した際に、前記大入賞口を何秒後に開放させるかを前記複数の時間データからランダムに選択し決定してなる、
請求項３記載の遊技機。
【請求項５】
前記遊技領域内の所定部位に、前記報知手段による選択結果を報知する報知部を有してなる、
請求項３又は４記載の遊技機。
【請求項６】
前記報知部は、前記遊技領域に備えた画像表示装置の画面の一部に配置されてなる、
請求項５記載の遊技機。
【請求項７】
前記報知部は、前記大入賞口の前面部に配置されてなる、
請求項５記載の遊技機。
【請求項８】
前記貯留装置は、前記所定数を超える遊技球を排出する排出口を有してなる、
請求項１ないし７のいずれか１項記載の遊技機。
【請求項９】
大当り抽選を行う抽選手段を複数備え、遊技機本体に備えた遊技盤の遊技領域に、前記大当たり抽選で当選した際に開放する複数の大入賞口と、該大当たり抽選の契機となる入賞が行われる複数の始動入賞口と、を有し、前記遊技領域に遊技球を打ち出して遊技してなる遊技機であって、
前記抽選手段と前記大入賞口と前記始動入賞口とを１つずつ対応する連係状態にした抽選可動ユニットを複数備え、かつ、
前記遊技領域に打ち出された遊技球を所定数だけ貯留する貯留部と、前記抽選可動ユニットのいずれかの前記大入賞口に向いた前記貯留部の球放出口を開閉する開閉部材と、を有する貯留装置を少なくとも１つ備え、
前記遊技機本体に、前記少なくとも１つの貯留装置に１対１に対応して該対応する貯留装置の前記開閉部材を開閉させる手動操作部を備えてなる、
ことを特徴とする遊技機。
【請求項１０】
前記抽選手段による大当たり抽選で当選したとき、前記大入賞口を何秒後に開放させるかを選択決定して該開放の旨を報知する報知手段、を少なくとも１つ備え、
前記報知手段による選択結果を報知する報知部は、前記報知をする第１の状態と報知をしない第２の状態とを有してなる、
請求項９記載の遊技機。
【請求項１１】
前記第１の状態と前記第２の状態との切り替えは、あらかじめ定められた前記大当たり抽選を契機に切り替えられてなる、
請求項１０記載の遊技機。
【請求項１２】
前記報知手段は、予め設定された複数の時間データを有するデータテーブルを有し、前記抽選手段による大当たり抽選で当選した際に、前記大入賞口を何秒後に開放させるかを前記複数の時間データからランダムに選択し決定してなる、
請求項１０又は１１記載の遊技機。
【請求項１３】
前記遊技領域内の所定部位に、前記報知部を有してなる
請求項１０ないし１２のいずれか１項記載の遊技機。
【請求項１４】
前記報知部は、前記遊技領域に備えた演出表示装置の画面の一部に配置されてなる、
請求項１３記載の遊技機。
【請求項１５】
前記報知部は、前記大入賞口の前面部に配置されてなる、
請求項１３記載の遊技機。
【請求項１６】
前記貯留装置は、前記所定数を超える遊技球を排出する排出口を有してなる、
請求項９ないし１５のいずれか１項記載の遊技機。
【請求項１７】
前記遊技領域に演出表示装置を備え、
前記貯留装置は、前記演出表示装置の周りを囲むセンター役物に設けられている、
請求項９ないし１６のいずれか１項記載の遊技機。
【発明の詳細な説明】
【技術分野】
【０００１】
本発明は、パチンコ機等の遊技機に係り、詳しくは或る条件が成立した際に遊技者にとって有利となる構造を有する遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また第１種始動口（始動チャッカー）に入球した際にはこれに基づいて大当たり抽選が行われると共に所定数の遊技球が払い出され、当該抽選の結果に応じて、遊技盤の中央部分に設けられた液晶表示装置（画像表示装置）の画面上で所定の演出表示が行われる。大当たりの発生時には、アタッカーと呼ばれる大入賞口が開放し、入球に対応して多量の遊技球が払い出される状態となる。
【０００４】
【特許文献１】特開平０７−２８４５５９号公報
【発明の開示】
【発明が解決しようとする課題】
【０００５】
しかし、上述のような従来のパチンコ機において、発射ハンドルによる打球調節（発射ストローク調節）以外に遊技者が行い得る技術介入は、ごく限られており、また賞球を得る契機も、アタッカー等の大入賞口が開放した際にただひたすらに入賞させるだけであり、遊技性や面白味に欠けるという問題があった。
【０００６】
そこで本発明は、大入賞口開放時における入賞を遊技者自らが狙って行うことができるように構成し、遊技者による技術介入性を高めて遊技性を向上させ、興趣を高め得るように構成し、もって上述した課題を解決した遊技機を提供することを目的とするものである。
【課題を解決するための手段】
【０００７】
請求項１に係る本発明は（例えば図１ないし図６参照）、遊技機本体（６、７）に備えた遊技盤（３）の遊技領域（３ａ）に、大当たり抽選で当選した際に開放する大入賞口（５）と、該大当たり抽選の契機となる入賞が行われる始動入賞口（３２）と、を有し、前記遊技領域（３ａ）に遊技球を打ち出して遊技してなる遊技機（１）であって、
前記遊技領域（３ａ）に打ち出された遊技球を所定数だけ貯留する貯留部（２６ｃ）と、該貯留部の前記大入賞口（５）に向いた球放出口（２６ｇ）を開閉する開閉部材（２６ｆ）と、を有する貯留装置（２６）を備え、
前記遊技機本体に、前記開閉部材（２６ｆ）を開放させる手動操作部（２０）を備えてなる、
ことを特徴とする遊技機（１）にある。
【０００８】
請求項２に係る本発明は（例えば図１ないし図６参照）、前記遊技領域（３ａ）にセンター役物（２３）を備え、
前記貯留装置（２６）は、前記センター役物（２３）に配置されてなる、
請求項１記載の遊技機（１）にある。
【０００９】
請求項３に係る本発明は（例えば図１及び図８参照）、前記大当たり抽選を実行する抽選手段（８４）と、
該抽選手段による大当たり抽選で当選したとき、前記大入賞口（５）を何秒後に開放させるかを選択決定して該開放の旨を報知する報知手段（９５）と、を備えてなる、
請求項１又は２記載の遊技機（１）にある。
【００１０】
請求項４に係る本発明は（例えば図８及び図９参照）、前記報知手段（９５）は、予め設定された複数の時間データ（８５ａ〜８５ｆ）を有するデータテーブル（８５）を有し、前記抽選手段（８４）による大当たり抽選で当選した際に、前記大入賞口（５）を何秒後に開放させるかを前記複数の時間データ（８５ａ〜８５ｆ）からランダムに選択し決定してなる、
請求項３記載の遊技機（１）にある。
【００１１】
請求項５に係る本発明は（例えば図１、図２、図４〜図６、及び図８参照）、前記遊技領域内（３ａ）の所定部位に、前記報知手段（９５）による選択結果を報知する報知部（２５ａ、５ｂ）を有してなる、
請求項３又は４記載の遊技機（１）にある。
【００１２】
請求項６に係る本発明は（例えば図１、図２、及び図４〜図６参照）、前記報知部（２５ａ）は、前記遊技領域（３ａ）に備えた画像表示装置（２５）の画面の一部に配置されてなる、
請求項５記載の遊技機（１）にある。
【００１３】
請求項７に係る本発明は（例えば図５参照）、前記報知部（５ｂ）は、前記大入賞口（５）の前面部（５ａ）に配置されてなる、
請求項５記載の遊技機（１）にある。
【００１４】
請求項８に係る本発明は（例えば図５参照）、前記貯留装置（２６）は、前記所定数を超える遊技球（Ｂａ）を排出する排出口（２６ｄ）を有してなる、
請求項１ないし７のいずれか１項記載の遊技機（１）にある。
【００１５】
請求項９に係る本発明は（例えば図１、図８及び図１１参照）、大当り抽選を行う抽選手段（８４ａ、８４ｂ……８４ｙ、８４ｚ）を複数備え、遊技機本体（６、７）に備えた遊技盤（３）の遊技領域（３ａ）に、前記大当たり抽選で当選した際に開放する複数の大入賞口（５ａ、５ｂ……５ｙ、５ｚ）と、該大当たり抽選の契機となる入賞が行われる複数の始動入賞口（３０ａ、３０ｂ……３０ｙ、３０ｚ）と、を有し、前記遊技領域（３ａ）に遊技球を打ち出して遊技してなる遊技機（１）であって、
前記抽選手段（８４ａ、８４ｂ……８４ｙ、８４ｚ）と前記大入賞口（５ａ、５ｂ……５ｙ、５ｚ）と前記始動入賞口（３０ａ、３０ｂ……３０ｙ、３０ｚ）とを１つずつ対応する連係状態にした抽選可動ユニット（１００ａ、１００ｂ……１００ｙ、１００ｚ）を複数備え、かつ、
前記遊技領域（３ａ）に打ち出された遊技球（Ｂａ）を所定数だけ貯留する貯留部（２６ｃ）と、前記抽選可動ユニット（１００ａ、１００ｂ……１００ｙ、１００ｚ）のいずれかの前記大入賞口（５ａ、５ｂ……５ｙ、５ｚ）に向いた前記貯留部（２６ｃ）の球放出口（２６ｇ）を開閉する開閉部材（２６ｆ）と、を有する貯留装置（２６）を少なくとも１つ備え、
前記遊技機本体（６、７）に、前記少なくとも１つの貯留装置（２６）に１対１に対応して該対応する貯留装置（２６）の前記開閉部材（２６ｆ）を開閉させる手動操作部（２０）を備えてなる、
ことを特徴とする遊技機（１）にある。
【００１６】
請求項１０に係る本発明は（例えば図１、図２、図４〜図６、図８及び図１１参照）、前記抽選手段（例えば８４ｙ、８４ｚ）による大当たり抽選で当選したとき、前記大入賞口（例えば５ｙ、５ｚ）を何秒後に開放させるかを選択決定して該開放の旨を報知する報知手段（９５）、を少なくとも１つ備え、
前記報知手段（９５）による選択結果を報知する報知部（２５ａ、５ｂ）は、前記報知をする第１の状態と報知をしない第２の状態とを有してなる、
請求項９記載の遊技機（１）にある。
【００１７】
請求項１１に係る本発明は、前記第１の状態と前記第２の状態との切り替えは、あらかじめ定められた前記大当たり抽選を契機に切り替えられてなる、
請求項１０記載の遊技機（１）にある。
【００１８】
請求項１２に係る本発明は（例えば図８及び図９参照）、前記報知手段（９５）は、予め設定された複数の時間データ（８５ａ〜８５ｆ）を有するデータテーブル（８５）を有し、前記抽選手段（例えば８４ｙ、８４ｚ）による大当たり抽選で当選した際に、前記大入賞口（例えば５ｙ、５ｚ）を何秒後に開放させるかを前記複数の時間データ（８５ａ〜８５ｆ）からランダムに選択し決定してなる、
請求項１０又は１１記載の遊技機（１）にある。
【００１９】
請求項１３に係る本発明は（例えば図１、図２、図４〜図６、及び図８参照）、前記遊技領域内（３ａ）の所定部位に、前記報知部（２５ａ、５ｂ）を有してなる、
請求項１０ないし１２のいずれか１項記載の遊技機（１）にある。
【００２０】
請求項１４に係る本発明は（例えば図１、図２、及び図４〜図６参照）、前記報知部（２５ａ）は、前記遊技領域（３ａ）に備えた画像表示装置（２５）の画面の一部に配置されてなる、
請求項１３記載の遊技機（１）にある。
【００２１】
請求項１５に係る本発明は（例えば図５参照）、前記報知部（５ｂ）は、前記大入賞口（５）の前面部（５ａ）に配置されてなる、
請求項１３記載の遊技機（１）にある。
【００２２】
請求項１６に係る本発明は（例えば図５参照）、前記貯留装置（２６）は、前記所定数を超える遊技球（Ｂａ）を排出する排出口（２６ｄ）を有してなる、
請求項９ないし１５のいずれか記載の遊技機（１）にある。
【００２３】
請求項１７に係る本発明は（例えば図１、図２、及び図４〜図６参照）、前記遊技領域（３ａ）に演出表示装置（２５）を備え、
前記貯留装置（２６）は、前記演出表示装置（２５）の周りを囲むセンター役物（２３）に設けられている、
請求項９ないし１６のいずれか１項記載の遊技機（１）にある。
【００２４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００２５】
請求項１に係る本発明によると、遊技盤の遊技領域には、遊技球を貯留する貯留装置が設けられているので、遊技領域に打ち出された遊技球のうち、貯留装置に到達した遊技球を貯留装置内に貯留することができる。また、該貯留装置の下方には、大当り抽選で当選した際に開放する大入賞口を有しているので、貯留した多数の遊技球を大入賞口へ直接入球することができる。さらに、貯留した遊技球は、遊技機本体に備えた手動操作部により貯留装置の開閉部材を操作して解放することができるので、手動操作部を操作して、貯留装置に貯留した遊技球を一時期に大入賞口に導くことができる。本手動操作部の操作は、遊技者の意思により操作することができるので、遊技者の技量によって、大入賞口の開放時に多数の遊技球を入球することが可能であり、遊技者は、貯留装置に貯留した遊技球を一時期に大入賞口へ導くための技能習得に努めることにより、遊技に対する好奇心を高揚させることができ、遊技をより白熱させることができる。
【００２６】
請求項２に係る本発明によると、センター役物には貯留装置が配置されているので、センター役物と貯留装置とを一体に形成して、遊技領域のスペースを有効に利用することができる。
【００２７】
請求項３に係る本発明によると、抽選手段により大当り抽選が当選された後、さらに、大入賞口を何秒後に開放させるかを選択決定するので、任意の遅延時間を設けて大入賞口を開放することができる。また、大入賞口の開放までの残り時間を報知手段により報知するので、遊技をする遊技者は大入賞口の開放までの残り時間に合わせて前記手動操作部を操作することができ、より多くの遊技球を大入賞口に導く機会を与えることができる。
【００２８】
請求項４に係る本発明によると、大入賞口を開放するまでの時間は、大当り抽選で当選した後に、報知手段によりデータテーブルに規定された複数の時間データからランダムに選択して決定するので、大入賞口を開放するまでの時間は、大当り当選毎に異なる時間を設定することができ、遊技の不確定性を高めることができる。
【００２９】
請求項５に係る本発明によると、大入賞口の開放までの時間を表示する報知部が、遊技領域内の所定部位に設けられているので、遊技者による視認性に優れて、遊技中であっても大入賞口の開放までの時間を認識し易くなる。
【００３０】
請求項６に係る本発明によると、遊技領域に備えた画像表示装置の画面の一部に報知部を配置しているので、画像表示装置に表示される画像の一部として報知部を認識することができ、さらに、視認性に優れて、遊技者の視点移動を減ずることができる。また、報知部は画像表示装置の画面を転用することができるので、報知が必要な時にのみ表示することも可能であり、その場合、報知部として新たな装置を設ける必要がなく、従って、部品点数を削減してコストダウンも期待することができる。
【００３１】
請求項７に係る本発明によると、大入賞口の前面部に報知部を配置しているので、大入賞口の開放までの時間と、実際に大入賞口が開放するタイミングとを同じ視点で同時に確認することができ、従って遊技者は、大入賞口付近に視線を合わせた状態で遊技に集中することができる。
【００３２】
請求項８に係る本発明によると、貯留装置は、前記所定数を超える遊技球を排出する排出口を有しているので、貯留装置に入球する規定数以上の遊技球を排出して、貯留装置に貯留する遊技球の数を規定数以下に抑えることができる。
【００３３】
請求項９に係る本発明によると、遊技機は、複数の抽選手段と、複数の大入賞口と、複数の始動入賞口とを有しており、それぞれの抽選手段と大入賞口と始動入賞口とを連係状態にした抽選可動ユニットを複数備えているので、抽選可動ユニットにより、それぞれの抽選手段と大入賞口と始動入賞口とを個別に制御することができる。また、遊技機本体には、少なくとも１つの貯留装置に１対１に対応する手動操作部を備えているので、それぞれの手動操作部から各貯留装置の開閉部材を開閉できる。
【００３４】
請求項１０に係る本発明によると、抽選手段により大当り抽選が当選された後、さらに、大入賞口を何秒後に開放させるかを選択決定するので、任意の遅延時間を設けて大入賞口を開放することができる。また、報知部は、報知手段による選択結果を報知する第１の状態と、報知手段による選択結果を報知しない第２の状態とを有しているので、それぞれの状態に応じて報知手段による選択結果を報知できる。これにより、遊技をする遊技者は大入賞口の開放までの残り時間に合わせて前記手動操作部を操作することができ、より多くの遊技球を大入賞口に導く機会を与えることができる。
【００３５】
請求項１１に係る本発明によると、第１の状態と第２の状態との切り替えは、あらかじめ定められた大当たり抽選を契機に切り替えられるので、大当たり抽選を契機に第１の状態と第２の状態とを切り替えることができる。
【００３６】
請求項１２に係る本発明によると、大入賞口を開放するまでの時間は、大当り抽選で当選した後に、報知手段によりデータテーブルに規定された複数の時間データからランダムに選択して決定するので、大入賞口を開放するまでの時間は、大当り当選毎に異なる時間を設定することができ、遊技の不確定性を高めることができる。
【００３７】
請求項１３に係る本発明によると、前記大入賞口の開放までの時間を表示する報知部が、遊技領域内の所定部位に設けられているので、遊技者による視認性に優れて、遊技中であっても大入賞口の開放までの時間を認識し易くなる。
【００３８】
請求項１４に係る本発明によると、遊技領域に備えた演出表示装置の画面の一部に報知部を配置しているので、画像表示装置に表示される画像の一部として報知部を認識することができ、さらに、視認性に優れて、遊技者の視点移動を減ずることができる。また、報知部は演出表示装置の画面を転用することができるので、報知が必要な時にのみ表示することも可能であり、その場合、報知部として新たな装置を設ける必要がなく、従って、部品点数を削減してコストダウンも期待することができる。
【００３９】
請求項１５に係る本発明によると、大入賞口の前面部に報知部を配置しているので、大入賞口の開放までの時間と、実際に大入賞口が開放するタイミングとを同じ視点で同時に確認することができ、従って遊技者は、大入賞口付近に視線を合わせた状態で遊技に集中することができる。
【００４０】
請求項１６に係る本発明によると、貯留装置には、入球した遊技球のうち、所定数を超えた遊技球を排出口から排出できるので、簡単な構造からなるものでありながら、常に一定数の遊技球を貯留して、大入賞口の開放時には所定数の貯留球を一時に排出することができる。
【００４１】
請求項１７に係る本発明によると、演出表示装置の周りを囲むセンター役物に貯留装置が設けられているので、貯留装置をセンター役物と一体に構成することができ、両者を合わせた演出ができると共に、遊技領域のスペースを有効に利用することができる。
【発明を実施するための最良の形態】
【００４２】
＜第１の実施の形態＞
以下、本発明に係る遊技機の実施の形態として、遊技場等に設置されるパチンコ機を図面に沿って説明する。図１は、本実施形態におけるパチンコ機の外部構造を示す正面図、図２は本パチンコ機に備えた遊技盤を単体で示す正面図である。なお、後述する実施の形態では、本発明の遊技機を所謂１種１種のパチンコ機として述べるが、本発明はこれに限らず、他の種別のパチンコ機にも適用可能である。
【００４３】
本実施形態のパチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、大当たりが発生した状態で第1大入賞口４又は第２大入賞口５に入球した遊技球に対応する数の遊技球を払い出すように構成されている。
【００４４】
本パチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上方左右にはスピーカー（図示せず）を有する放音装置１２が配設されている。また、ガラス枠１０における右側部には、前扉７を筐体６側に施錠又は解放するための施錠装置７ａが配設されている。なお、筐体６及び前扉７等から遊技機本体が構成されている。
【００４５】
前扉７における遊技盤３の下方には皿ユニット１３が設けられており、皿ユニット１３における右上部には、賞球及び貸球を含む遊技球が供給される球供給口１５が設けられ、皿ユニット１３における右上部壁面には、球貸ボタン１６ａ及びプリペイドカード返却ボタン１６ｂが設けられている。皿ユニット１３には、該皿ユニット１３上の遊技球を発射装置（図示せず）付近から皿ユニット下部の球排出口（図示せず）を通して下方に排出するための第１球抜きボタン１３ａと、皿ユニット１３上の遊技球を球供給口１５付近から上記球排出口を通して下方に排出するための第２球抜きボタン１３ｂとが設けられている。
【００４６】
また、皿ユニット１３の右部には、発射装置（図示せず）を操作して遊技球を遊技領域３ａに向けて打ち出すための発射ハンドル２が配設されている。更に、皿ユニット１３の左下方には、灰皿１７、及び手動操作部２０に配設した手動操作ボタン２０ａが突設されている。なお、図１中の符号１９は、発射ハンドル２の操作で発射された遊技球を遊技領域３ａに導くガイドレールを示している。
【００４７】
図１及び図２に示すように、遊技領域３ａの中央部にはセンター飾り（センター役物）２３が配置されており、センター飾り２３は、各入球口への入球を契機に演出画面を表示する画像表示装置２５と、一定の経路を経て入球した遊技球を貯留する貯留装置２６とを備えている。センター飾り２３の周縁には、左上方に、貯留装置２６に貯留した遊技球数を表示する貯留球数インジケータ２９が配設されていると共に、センター飾り２３の左方壁にはワープ導入口２７が穿孔しており、ワープ導入口２７に入球した遊技球をセンター飾り２３内の下部に配設したステージＳまで導いている。また、このワープ導入口２７の対向位置には、上下一対の障害釘２７ａが打ち込まれおり、ワープ導入口２７に入球する遊技球を制限している。
【００４８】
なお、本実施形態における「ワープ導入」という語句は、遊技領域３ａに打ち出された遊技球を、当該遊技領域３ａの比較的下側に位置する不図示の道釘等を経ることなく、次述する始動入賞口３０の直上に導き、遊技球の流下路として有利な経路を経ることを意味する概念である。また、「道釘」とは、遊技領域３ａにおいて始動入賞口３０の開口付近から左右に打ち込まれた複数本の障害釘（図示せず）の列を意味するもので、上方から転動落下してきた遊技球を始動入賞口３０等に導く役割を担っている。
【００４９】
画像表示装置２５は、センター飾り２３の略中央に配置されており、各入賞口への入球を契機として各種の演出画像を液晶画面などにより表示することができる。また、画像表示装置２５の左下部では、後に詳述する貯留装置２６に関する各種情報を表示する報知部２５ａが区画分けされており、１つの画像表示装置２５によって、演出画面と情報画面とを同時に表示、或いは切換えて表示することが可能となっている。
【００５０】
貯留装置２６については後に詳述するが、貯留装置２６は貯留部２６ｃを有し、該貯留部２６ｃに貯留した遊技球数は、不図示のセンサにより検知することができ、上述した貯留球数インジケータ２９に表示される。本実施形態では、貯留装置２６は内部を透過して視認することができない材料（例えば着色プラスチック）により構成しているが、この場合に、貯留部２６ｃを含む貯留装置２６を透明プラスチック素材などにより構成すれば、貯留装置２６に入球した遊技球は、透明ガラス９を透して可視化することができるので、貯留球数インジケータ２９を不要とすることもできる。
【００５１】
次に、遊技領域３ａは、センター飾り２３の左側方で遊技球が流下する第１流下経路２１ａと、センター飾り２３の右側方で遊技球が流下する第２流下経路２１ｂとを有している。第１流下経路２１ａの中段には、遊技球の入球を契機として始動入賞口３０を開放するためのスルーゲート３１と、スルーゲート３１の鉛直下方でステージＳの側方延長位置には、遊技球の入球を契機として第２大入賞口５を開放するための始動入賞口３２が配設されている。一方、第２流下経路２１ｂには、貯留装置２６の直下に第２大入賞口５が配設されており、貯留装置２６から解放された遊技球が入球し易い配置となっている。ただし、第２大入賞口５の上方の一部では、貯留装置２６から斜め下方に向けて鍔部２６ｅが延出しており、第２流下経路２１ｂを流下する遊技球が直接に第２大入賞口５に入球する機会を制限している。また、第２大入賞口５の直上部には不図示の障害釘が植設されており、第２大入賞口５は、該障害釘の存在により、開放時にのみ入賞が許容される。
【００５２】
センター飾り２３の下方両側、すなわち遊技領域３ａの下部両側には、大当たり抽選に寄与せずに一般の入賞のみが行われる一般入賞口４９、４９が配設されており、さらに、遊技領域３ａの最下部で第１大入賞口４の下方には、遊技領域３ａに打ち出された遊技球のうち、入賞に至らなかった遊技球を遊技盤３の裏面に排出するアウト口３３が穿孔されている。
【００５３】
上述した始動入賞口３０及び始動入賞口３２は、それぞれ大当たり抽選実行の契機となる入賞が行われるものであり、このうち始動入賞口３０は、所謂チューリップと称されるものであり、スルーゲート３１への入球を契機とした開閉抽選に基づき、始動入賞口開閉ソレノイド６９（図８参照）によって、開放位置と閉止位置とに開閉動作する。一方、始動入賞口３２は入賞を契機に第２大入賞口５を開閉動作させるが、該始動入賞口３２自体は開閉作動を伴わない単なる入賞口として形成されている。
【００５４】
第１大入賞口４及び第２大入賞口５は、大当たり抽選で当選した際に開閉作動する大入賞口であり、第１大入賞口４は第１大入賞口開閉ソレノイド７０（図８参照）によって、また第２大入賞口５は第２大入賞口開閉ソレノイド７１によって、開放位置と閉止位置とに開閉動作する。そして、第１大入賞口４は、始動入賞口３０への入賞に基づいて第１抽選手段８３で行われる大当たり抽選で当選した際に上記開閉動作を行い、第２大入賞口５は、始動入賞口３２への入賞に基づいて第２抽選手段８４で行われる大当たり抽選で当選した際に上記開閉動作を行う。本第１大入賞口４は、大当たり中、遊技球を入賞させるが、１回の開放で９個の入球（即ち、９カウント）を完了した時点で閉じ、この開閉動作を１５回（即ち、１５ラウンド）繰り返すように構成される。第２大入賞口５は、大当たりしたとき、例えば１．５〜２．５秒間開放した後、閉止するように構成される。なお、これらカウント数、ラウンド数及び開放時間は、必要に応じて適宜設定され得るものである。
【００５５】
遊技領域３ａにおけるセンター飾り２３の下方には、ステージＳから零れた遊技球や、発射されてから入賞口等に関与せずに落下してくる遊技球を適宜散らし、或いは入球に導くようにするための多数の障害釘が打ち込まれている。また、ワープ導入口２７の周囲及びその上方側にも、遊技球を適宜散らし、或いは入球に導くようにするための障害釘２７ａを含む多数の道釘が打ち込まれている。このような本パチンコ機１では、遊技領域３ａに打ち出された遊技球Ｂａのより多くを、第１及び第２大入賞口４、５等に入球させ、入球数に応じて賞球を得るように遊技が進められる。
【００５６】
次に、貯留装置２６及び報知部２５ａについて図３ないし図６を参照しながら説明する。図３は、センター飾り２３と第１流下経路２１ａとを拡大して示す図、図４は、貯留装置２６と第２流下経路２１ｂとを拡大して示す図、図５は、貯留装置２６に貯留した遊技球と、排出口２６ｄの様子を示す図、図６は、貯留装置２６から解放された遊技球の状態を示す図である。なお、図中では、便宜上、図１及び図２に記載した障害釘２７ａ等の図示を省略している。また、遊技球を陰影を付した円で示すと共に、遊技球の軌跡を２点鎖線で表している。
【００５７】
図３に示すように、遊技領域３ａの最上位置に順次到達した多数の遊技球は、付近に植設した障害釘に当接することによって、第１流下経路２１ａに向かう方向Ｂ１と、第２流下経路２１ｂに向かう方向Ｂ２と、貯留装置２６内に流入する方向Ｂ３とに分岐し、それぞれの経路内を流下してゆく。ここではＢ３方向に向かう遊技球に着目しながら貯留装置２６について説明する。
【００５８】
貯留装置２６は、図３乃至図６に示すように、センター飾り２３の右側方に位置してセンター飾り２３の一部を形成しており、センター飾り２３の上部に開口した貯留導入口２６ａから入球した遊技球を、センター飾り２３の右側方に向かい傾斜して設けられた貯留路２６ｂを経て、同じくセンター飾り２３の右下方に設けた貯留部２６ｃまで導いて貯留することができる。また、貯留路２６の中段には、所定数以上の遊技球が貯留部２６ｃに貯留した際に、残余の遊技球を排出する排出口２６ｄが穿孔している。
【００５９】
貯留路２６ｂは、遊技球が通過できる内径を有する筒状の通過路であり、貯留路２６ｂの中段には階段状の段差が設けられており、貯留導入口２６ａから流入する遊技球の侵入速度を低減して、遊技球が貯留部２６ｃに貯留される際の衝撃力を緩和している。同様に、貯留部２６ｃは、重力下方向に遊技球を解放する球放出口２６ｇが設けられた筒体であり、所定数の遊技球を貯留できるよう、遊技球の直径の整数倍の長さを有している。貯留部２６ｃに球放出口２６ｇには、ストッパ（開閉部材）２６ｆが開閉自在（つまり、遊技盤３に前後方向に進退自在）に設けられており、手動操作部２０に設けた手動操作ボタン２０ａを操作することにより球放出口２６ｇを開放することができる。貯留部２６ｃと貯留路２６ｂとの境界位置には、第２流下経路２１ｂに向けて排出口２６ｄが穿孔されており、所定数以上の遊技球が貯留部２６ｃに貯留した際、新しく流入する遊技球を排出口２６ｄから排出することができる。
【００６０】
図５では、貯留部２６ｃに到達した遊技球が貯留した様子を示しているが、貯留路２６ｂを通過した遊技球は、貯留部２６ｃの球放出口２６ｇに突設したストッパ２６ｆにより動きが阻止されて貯留部２６ｃに貯留しており、手動操作ボタン２０ａを操作してストッパ２６ｆを遊技盤３の裏面側に引き込む方向に動作させると、球放出口２６ｇが開放して、貯留部２６ｃに貯留した遊技球を解放することができる（図６参照）。本ストッパ２６ｆは、遊技盤３の裏面側に引き込む方向の動作以外に、下流方向へ傾倒するように構成してもよい。
【００６１】
所定数の遊技球が貯留した状態にある貯留部２６ｃに、さらに遊技球が流入した際には、貯留した遊技球の最上の遊技球と新しく流入した遊技球とが衝突することによって、貯留路２６ｂの側方に設けた排出口２６ｄより排出される。排出された遊技球は、第２流下経路２１ｂ内を他の遊技球と共に流下して、別途の入賞口へ入球する機会を得る。図５に示す実施形態では、貯留部２６ｃに貯留する遊技球数を４個としているが、貯留球数は４個に限定されるものではなく、貯留部２６ｃの長さと排出口２６ｄとの位置関係により増減することができる。
【００６２】
次に、報知部２５ａは、図１及び図２、図４ないし図６に示すように、画像表示部２５の右下方に区画されており、数値表記または測針表記により第２大入賞口５を開放するまでの残時間を視覚的に表すことができる。本報知部２５ａは画像表示部２５の右下方部位の他に、第２大入賞口５の前面部５ａに設けることもできる。すなわち、図４乃至図６に２点鎖線で示すように、第２大入賞口５の前面部５ａにセグメント５ｂを設けて残時間を数値表示してもよい。
【００６３】
ついで、本パチンコ機１の背面構造について図７を参照して説明する。同図は、本パチンコ機１の背面構造を示す背面図である。
【００６４】
図７に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置７ａが固設されている。
【００６５】
次に、本実施形態におけるパチンコ機１の制御系を図８に沿って説明する。なお、同図は本パチンコ機の制御系を示すブロック図である。
【００６６】
すなわち、本制御系は、遊技制御装置８０と、該遊技制御装置８０に電気的に接続された、始動入賞口開閉ソレノイド６９、第１大入賞口開閉ソレノイド７０、第２大入賞口開閉ソレノイド７１、貯留開放ソレノイド７２、放音装置１２、演出用照明装置１１、画像表示装置２５、及び賞球装置４６と、を備えている。
【００６７】
遊技制御装置８０は、図７に示した主制御基板４０やサブ制御基板３８等から構成されている。主制御基板４０は、本パチンコ機１の動作全体を統括的に管理する電気基板であり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００６８】
遊技制御装置８０は、入賞判定手段８１、入賞信号出力手段８２、第１抽選手段８３、第２抽選手段８４、遊技制御手段８６、保留手段８７、作動制御手段８８、作動判定手段８９、作動決定手段９０、演出制御手段９１、表示制御手段９２、手動操作判定手段９４、及び報知手段９５を備えている。
【００６９】
入賞判定手段８１は、発射ハンドル２の操作で作動する発射装置（図示せず）によって遊技領域３ａに打ち出された遊技球が第１及び第２大入賞口４、５、入賞口４９、始動入賞口３０、スルーゲート３１、始動入賞口３２等の何れかに入賞又は入球したとき、当該入賞又は入球があった旨を判定する。
【００７０】
入賞信号出力手段８２は、入賞判定手段８１によって入賞、入球が判定されたとき、第１及び第２大入賞口４、５、入賞口４９、始動入賞口３０、スルーゲート３１、始動入賞口３２等に入賞、入球した旨の信号を出力する。
【００７１】
第１抽選手段８３は、入賞信号出力手段８２からの始動入賞口３０に対応する入賞信号の入力時、最大保留球数（例えば４個）未満での入賞を契機として、大当たりに当選するように、不図示の抽選用メモリから当たり当選乱数値を取得して大当たり抽選を実行する。
【００７２】
本実施形態では、第１抽選手段８３で大当たり当選した場合、作動制御手段８８の制御で作動する第１大入賞口開閉ソレノイド７０によって第１大入賞口４が、１回の開放で９個の入球（即ち９カウント）を完了した時点で閉じ、この開閉を１５回（１５ラウンド）繰り返すように動作する。一方、第２抽選手段８４で大当たり当選した場合、作動制御手段８８の制御で作動する第２大入賞口開閉ソレノイド７１によって第２大入賞口５が、例えば１．５秒〜２．５秒間開放する。
【００７３】
そして第１抽選手段８３は、大当たり抽選で大当たりに当選した場合には、不図示の演出用メモリに格納された演出乱数値に基づく抽選で、変動の結果、「３３３」や「７７７」等の図柄が画像表示装置２５上の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。演出乱数値に基づく抽選で、変動の結果、「２２２」や「４４４」等の図柄が大当たり有効ライン上で最終的に揃う旨の変動パターンを決定し、その旨の変動パターン信号を出力する。更に第１抽選手段８３は、大当たり抽選で外れた場合には、演出乱数値に基づく抽選で、変動の結果、外れに対応する「２５８」や「１８６」等の図柄が大当たり有効ライン上で最終的に揃う旨の変動パターンを決定し、その旨の変動パターン信号を出力する。
【００７４】
遊技制御手段８６は、放音装置１２、演出用照明装置１１に放音、発光等の演出をさせる契機となる指令を、演出制御手段９１に送る。また、遊技制御手段８６は、予め設定された演出データや、第１及び第２抽選手段８３、８４での抽選結果に応じて、画像表示装置２５や、その一部である報知部２５ａに表示すべき大当たり抽選に関連する演出内容に関する信号を表示制御手段９２に送る。
【００７５】
保留手段８７は、第１、第２抽選手段８３、８４のいずれかから出力された変動パターン信号を入力し、変動パターンを、始動入賞口３０、始動入賞口３２への入賞の都度に行われた抽選の結果となる保留球として順次記憶する。
【００７６】
作動制御手段８８は、作動決定手段９０の作動開始決定の旨の信号に基づき、始動入賞口開閉ソレノイド６９に駆動信号を送って該ソレノイド６９を作動させ、始動入賞口３０を開閉動作させる。また、作動制御手段８８は、第１抽選手段８３で大当たり当選した場合に、第１大入賞口開閉ソレノイド７０に駆動信号を送り、第１大入賞口４を１５ラウンドだけ開閉動作させるように制御する。さらに、作動制御手段８８は、第２抽選手段８４で大当たり当選した場合は、第２大入賞口開閉ソレノイド７１に駆動信号を送り、第２大入賞口５を所定秒数（例えば１．５秒〜２．５秒）開閉動作させるように制御する。そして、作動制御手段８８は、始動入賞口３２、入賞口４９、始動入賞口３０、第１大入賞口４、第２大入賞口５に入賞した旨の入賞信号を入賞信号出力手段８２から受けた場合には、それぞれの入賞に対応する賞球数となるように賞球装置４６を作動制御する。
【００７７】
作動判定手段８９は、入賞口開閉ソレノイド６９、第１大入賞口開閉ソレノイド７０、第２大入賞口開閉ソレノイド７１を作動させるための条件を満たすか否かを判定する。
【００７８】
作動決定手段９０は、作動判定手段８９からの判定信号を受けて、入賞口開閉ソレノイド６９、第１大入賞口開閉ソレノイド７０、第２大入賞口開閉ソレノイド７１の作動開始をそれぞれに決定する。
【００７９】
演出制御手段９１は、遊技制御手段８６からの指令に応答して、放音装置１２を放音駆動し、演出用照明装置１１を発光駆動して遊技者の聴覚や視覚に訴える演出を行う。
【００８０】
表示制御手段９２は、遊技制御手段８６からの信号に従って、画像表示装置２５を駆動し、大当たり抽選結果を中心とした内容等の演出を、遊技者の視覚に訴えるように演出表示する。
【００８１】
手動操作判定手段９４は、手動操作ボタン２０ａの操作を検知すると、貯留部開放ソレノイド７２へ開放信号を送出して貯留装置２６のストッパ２６ｆを開放作動し、手動操作ボタン２０ａの操作が終了するとストッパ２６ｆを復帰させて閉塞作動する。
【００８２】
報知手段９５は、第２大入賞口開放待機時間テーブル８５を有しており、第２抽選手段８４による大当たり抽選で当選したとき、第２大入賞口５を何秒後に開放させるかを、即ち、第２大入賞口開放待機時間テーブル８５から抽出した第２大入賞口５を開放するまでの残時間を、報知部２５ａに表示する。換言すると、報知手段９５は、当該抽出時、第２大入賞口開放待機時間テーブル８５に格納された複数（本実施形態では６つ）の時間データのうちから１つを選択決定する。第２大入賞口開放待機時間テーブル８５は、図９にその例を示すように、複数の時間数値（１秒、３秒、１１秒、１８秒、２３秒、３５秒）が配列されたテーブルからなっており、本時間列の中から一の時間を選定し、該選定した時間が経過した後に第２大入賞口開閉ソレノイド７１に開閉信号を送出する。また、選定した時間は、遊技者に報知してよいか否かの報知選択が実行された後、報知する旨が選択された場合に報知部２５ａに表示され、第２大入賞口５が開放するまでの時間が遊技者に報知される。
【００８３】
次に、本パチンコ機１による作用について、図３乃至図６に示す遊技球の経路図、及び図１０のフローチャートを参照して説明する。すなわち、本パチンコ機１に対面して着座した遊技者が発射ハンドル２を握り、適宜の角度に回動操作すると、発射装置の作動で遊技球が所定の時間間隔により遊技領域３ａに向けて連続的に発射される。すると、遊技領域３ａに打ち出された遊技球は、付近に植設した障害釘に衝突することによって、第１流下経路２１ａに向かう方向Ｂ１と、第２流下経路２１ｂに向かう方向Ｂ２と、貯留装置２６内に流入する方向Ｂ３とに分岐しながら遊技領域３ａの下方へ流下してゆく（図３参照）。ここで、Ｂ３方向に分岐して貯留装置６に流入した遊技球については上述したとおりであるので説明を省略し、Ｂ１方向及びＢ２方向に向かう遊技球について説明する。
【００８４】
Ｂ１方向の第１流下経路２１ａを流下する遊技球は、転動落下しながら、遊技領域３ａ最下部のアウト口３３方向へ向かうが、第１流下経路２１ａを流下する遊技球の一部は、障害釘等に衝突して弾かれながら、スルーゲート３１、始動入賞口３２に入球又は入賞し、或いは、センター飾り２３のワープ導入口２７に入球する機会を得ることができる。スルーゲート３１に入球した遊技球は、スルーゲート３１を通過して下方に流下することができ、再び他の入賞口等への入球の機会を得られる。本スルーゲート３１を遊技球が通過した際には、ゲート内に設けたセンサにより遊技球の通過が検知され、その結果、開放抽選に当選した際には、入賞判定手段８１、作動制御手段８８を介して始動入賞口開閉ソレノイド６９に信号が送出され、始動入賞口３０が１回の開閉作動を実行する。
【００８５】
次に、遊技球が始動入賞口３２に入球した場合には、遊技球は遊技盤３の裏面側に排出されるが、センサにより遊技球の通過が検知され、第２抽選手段８４を起動して第２入賞口５を開放するか否かの大当たり抽選が実行される。さらに、第１流下経路２１ａを流下する遊技球のうち、障害釘２７ａを通過した遊技球は、ワープ導入口２７に入球してセンター飾り２３の左側面内を流下しながらステージＳ上に到達して、ステージＳの中央部に開口した放出口から、始動入賞口３０の直上に向けて放出される。
【００８６】
次に、始動入賞口３０に遊技球が入球した場合について説明すると、上述のとおり、スルーゲート３１への入球を契機として始動入賞口３０を開放、ステージＳからの直接入球、或いは第１流下経路２１ａから直接に始動入賞口３０に遊技球が入賞するが、始動入賞口３０への入賞により、第１大入賞口４を開放するか否かの大当り抽選が実行される。すなわち、始動入賞口３０への入賞を契機として、第１抽選手段８３が起動されて大当り抽選が実行される。大当り抽選の結果、大当り当選となった場合には、作動制御手段８８に信号を送出し第１大入賞口開閉ソレノイド７０を介して第１大入賞口４を所定回数だけ開放する。また、第１抽選手段８３による抽選時には、遊技制御手段８６及び表示制御手段９２を介して大当たり抽選に関連する演出内容が画像表示装置２５に表示される。大当り当選により開放した第１大入賞口４に規定数の遊技球が入球、或いは規定の開放時間が経過したことを入賞判定手段８１が検知すると、第１大入賞口４を閉塞し、次回の始動入賞口３０への入球により同様の大当り抽選が繰り返される。本第１大入賞口４は、上述のごとく、１回の開放で９個の入球（即ち９カウント）を完了した時点で閉じ、この開閉を１５回（１５ラウンド）繰り返すように動作させられる。
【００８７】
つづいて、始動入賞口３２に入球した場合の作用を、遊技領域３ａのＢ２方向である第２流下路２１ｂを流下する遊技球の動きと併せて説明する。始動入賞口３２への入賞を契機として、上述の如く、第２大入賞口を１回のみ開閉作動する大当り抽選が実行される。さらに、第２大入賞口５を開放するまでの残時間が報知手段９５によって選択決定される。
【００８８】
図１０に示すように、始動入賞口３２への入球を入賞判定手段８１が検知すると（ステップＳ１）、保留球数が所定数未満のときに第２抽選手段８４により大当り抽選が実行される（Ｓ２）。始動入賞口３２への入賞を契機とした大当り抽選で当選しなかった場合、第２大入賞口５は開閉動作されないが、当選した場合には、第２大入賞口５を１回のみ開放する旨が決定されると共に、画像表示装置２５に演出表示する当たり図柄の種類が決定され、遊技者に大当り当選を報知する（Ｓ４）。また同時に、第２大入賞口５を開放するまでの残時間を決定するため、報知手段９５が、第２大入賞口開放待機テーブル８５に設定した時間列から任意の時間数値を選択する（Ｓ５）。本残時間は、図９に示す、予め１、３、１１秒などの数値が規定された配列から１つの時間が選択されるものであるが、コントローラ側にて乱数を生成し、これを整数化して残時間として定義することもできる。
【００８９】
選択された残時間は作動制御手段８８に送出され、選択時間が経過した後に第２大入賞口５が開放される。また同時に、残時間を遊技者に報知するか否かの報知選択が実行される（Ｓ７）。報知選択は、二者択一的に選択されており、報知しないことが選択された場合には、大当り当選であることのみを報知して第２大入賞口５を開放する動作に移行するが（Ｓ１３、Ｓ１４）、残時間を報知すると選択された場合には、選択した残時間の図柄形状を確定し（Ｓ８）、第２大入賞口５を開放するまでの残時間（即ち、開放タイミング）を報知手段９５を介して報知部２５ａに報知（告知）する（Ｓ９）。この際の残時間の報知方法は、報知部２５ａに数値として表示するが、すでに画像表示装置２５に表示されている演出画像の一部として報知部２５ａに表示することもできる。
【００９０】
以上のように、第２大入賞口５の開放までの残時間が報知された場合には、遊技者は残時間を計りながら手動操作部２０に配設した手動操作スイッチ２０ａを操作することにより、手動操作判定手段９４を介して貯留装置２６の開放部２６ｆを開放することができ、第２大入賞口５の開放タイミングに合わせて、貯留装置２６に貯留した多量の遊技球を一時期に第２大入賞口５に向けて解放することができる。また、大当り当選後に第２大入賞口５の開放までの残時間が報知されない場合であっても、遊技者は第２大入賞口５の開放まで時間を予測することによって手動操作スイッチ２０ａを操作すれば、第２大入賞口５の開放と合致した場合には、より多くの遊技球を第２大入賞口５へ入球させることができる。そして、手動操作スイッチ２０ａの操作は、遊技者の意思により操作することができるので、遊技者の技量によって、第２大入賞口５の開放時に多数の遊技球を入球することが可能であり、遊技者は、貯留装置２６に貯留した遊技球を一時期に第２大入賞口５へ導くための技能習得に努めることにより、遊技に対する好奇心を高揚させることができ、遊技をより白熱させることができる。
【００９１】
また、本実施形態では、第２大入賞口５を開放するまでの時間が、大当り当選後、報知手段９５により選択決定されるので、第２大入賞口５を開放するまでの時間を大当り当選毎に異なる時間として設定でき、従って、遊技の不確定性を高めることができる。また、第２大入賞口５の開放までの時間を表示する報知部が、遊技領域３ａ内の所定部位に設けられるので、遊技者による視認性に優れて、遊技中であっても第２大入賞口５の開放までの時間が認識し易くなる。
【００９２】
さらに、遊技領域３ａに備えた画像表示装置２５の画面の一部に報知部が配置されることにより、画像表示装置３５に表示される画像の一部として報知部を認識でき、これにより、視認性に優れて遊技者の視点移動を減ずる構造が得られる。また、報知部が画像表示装置３５の画面に転用されることで、報知が必要な時にのみ表示することも可能であり、その場合、報知部として新たな装置を設ける必要がなく、従って、部品点数を削減してコストダウンも期待できる。また、第２大入賞口５の前面部５ａに報知部を配置すると、第２大入賞口５の開放までの時間と、実際に第２大入賞口５が開放するタイミングとを同じ視点で同時に確認することができる。これにより、遊技者は、第２大入賞口５付近に視線を合わせた状態で遊技に集中することができる。また、貯留装置２６には、入球した遊技球のうち、所定数を超えた遊技球を排出口から排出できるので、簡単な構造からなるものでありながら、常に一定数の遊技球を貯留して、第２大入賞口５の開放時には所定数の貯留球を一時に排出することができる。
＜第２の実施の形態＞
【００９３】
ついで、図１１を参照して、本発明に係る第２の実施の形態について説明する。図１１は、本第２の実施形態におけるパチンコ機１の遊技領域３ａに備えた、連係状態にある抽出可動ユニット１００ａ、１００ｂ……１００ｙ、１００ｚ等を模式的に示す図である。
【００９４】
図１１に示すように、遊技領域３ａに配置された抽出可動ユニット１００ａ、１００ｂ……１００ｙ、１００ｚは、それぞれ、第１の実施形態の始動入賞口３０と同様の構成からなる始動入賞口３０ａ、３０ｂ……３０ｙ、３０ｚと、第２大入賞口５と同様の構成からなる大入賞口５ａ、５ｂ……５ｙ、５ｚと、第２抽選手段８４と同様の構成からなる抽選手段８４ａ、８４ｂ……８４ｙ、８４ｚと、を互いに連係させた状態で備えている。
【００９５】
そして、上記抽出可動ユニット１００ａ、１００ｂ……１００ｙ、１００ｚのうちの一部、つまり抽出可動ユニット１００ｙ、１００ｚは、それぞれ、第１の実施形態の貯留装置２６と同様の構成からなる貯留装置２６ｙ、２６ｚと、手動操作部２０に設けた手動操作ボタン２０ａと同様の構成からなる手動操作ボタン２０ａｙ、２０ａｚと、を備えている。
【００９６】
このような構成を備える第２の実施形態では、上述した第１の実施の形態と同様に、始動入賞口３０ａ、３０ｂ……３０ｙ、３０ｚへの入賞を契機に抽選手段８４ａ、８４ｂ……８４ｙ、８４ｚにて大当たり抽選が実行され、抽選結果に応じて大入賞口５ａ、５ｂ……５ｙ、５ｚを開放することができる。
【００９７】
そして、貯留装置２６ｙ、２６ｚを備える抽選可動ユニット１００ｙ、１００ｚでは、始動入賞口３０ｙ、３０ｚへの入賞を契機に抽選手段８４ｙ、８４ｚにて大当たり抽選が実行され、抽選結果に応じて大入賞口５ｙ、５ｚを開放する構成に加えて、手動操作ボタン２０ａｙ、２０ａｚにより操作される貯留装置２６ｙ、２６ｚが付加される。なお、上述の抽出可動ユニット１００ａ、１００ｂ……１００ｙ、１００ｚの個数は任意であり、それらのうち、貯留装置２６ｙ、２６ｚや手動操作ボタン２０ａｙ、２０ａｚを備える抽出可動ユニット１００ｙ、１００ｚの個数も２つに限らず、任意に設定することができる。
【００９８】
本第２の実施形態における報知手段９５は、第１の実施形態における報知手段９５に比して、以下の機能が異なっている。すなわち、第２の実施形態における報知選択の契機は、あらかじめ定められた大当たり抽選の結果を契機にして報知の有無が決定される。たとえば、第２抽選手段８４による抽選結果を大当りパターン１と大当たりパターン２とに分ける、大当たりパターン１が選択された場合には「７７７」や「３３３」を画像表示装置２５に表示すると共に大当たり終了後、報知部２５ａに表示するように制御する。また、次回の大当たりで大当たりパターン２が選択された場合には「７７７」や「３３３」以外の大当たり図柄を表示すると共に、報知部２５ａへの表示を終了する。
【００９９】
なお、上記終了の契機は、上記で述べた契機以外に、例えば始動入賞口３０への入賞口を契機とした図柄変動があらかじめ定められた回数変動した場合や、始動入賞口３２への入賞を契機とした図柄変動があらかじめ定められた回数変動した場合に報知を終了する回数切りを行っても良い。
【０１００】
以上の構成を有する本実施形態のパチンコ機１では、前述した第１の実施形態におけるパチンコ機１と略々同様の作用効果を奏することができると共に、以下の作用効果を得ることができる。すなわち、パチンコ機１が、複数の抽選手段８３ａ８４ａ、８４ｂ……８４ｙ、８４ｚと、複数の大入賞口５ａ、５ｂ……５ｙ、５ｚと、複数の始動入賞口３０ａ、３０ｂ……３０ｙ、３０ｚとを有し、それぞれの抽選手段と大入賞口と始動入賞口とを連係状態にした抽出可動ユニット１００ａ、１００ｂ……１００ｙ、１００ｚを備えるので、該抽選可動ユニットにより、それぞれの抽選手段と大入賞口と始動入賞口とを個別に制御することができる。また、遊技機本体を成す前扉７には、少なくとも１つの貯留装置、即ち貯留装置２６ｙ、２６ｚに１対１に対応する手動操作部２０の手動操作ボタン２０ａｙ、２０ａｚを備えるので、手動操作ボタン２０ａｙ、２０ａｚそれぞれから各貯留装置２６ｙ、２６ｚの開閉部材２６ｆを開閉することができる。
【０１０１】
なお、本実施の形態では、第１大入賞口４及び第２大入賞口５として２つの入賞口を備えたパチンコ機１について説明したが、本発明は、このようなパチンコ機に限らず、入賞口を１つのみ備えたパチンコ機や入賞口を複数備えたパチンコ機に適用し得ることは勿論である。
【０１０２】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【０１０３】
【図１】本実施形態におけるパチンコ機の外部構造を示す正面図である。
【図２】パチンコ機に備えた遊技盤を単体で示す正面図である。
【図３】センター飾りと第１流下経路とを拡大して示す図である。
【図４】貯留装置と第２流下経路とを拡大して示す図である。
【図５】貯留装置に貯留した遊技球と、排出口の様子を示す図である。
【図６】貯留装置から解放された遊技球の状態を示す図である。
【図７】パチンコ機の背面構造を示す背面図である。
【図８】本パチンコ機の制御系を示すブロック図である。
【図９】第２大入賞口開放待機時間テーブルの模式図である。
【図１０】大当り当選により第２大入賞口に開放プロセスを示す流れ図である。
【図１１】第２の実施の形態における連係状態にある抽出可動ユニットを示す図である。
【符号の説明】
【０１０４】
１    遊技機（パチンコ機）
３  遊技盤
３ａ    遊技領域
５  第２大入賞口
５ｂ    報知部（セグメント）
２０    手動操作部
２０ａ  手動操作スイッチ
２３    センター役物（センター飾り）
２５    画像表示装置
２５ａ  報知部
２６    貯留装置
２６ｃ    貯留部
２６ｆ    開閉部材
２６ｇ    球放出口
３２    始動入賞口
８４    第２抽選手段
８５    第２大入賞口開放待機時間テーブル
９４    手動操作判定手段
９５    報知手段
【図１】
2007267881.tif 000003
【図２】
2007267881.tif 000004
【図３】
2007267881.tif 000005
【図４】
2007267881.tif 000006
【図５】
2007267881.tif 000007
【図６】
2007267881.tif 000008
【図７】
2007267881.tif 000009
【図８】
2007267881.tif 000010
【図９】
2007267881.tif 000011
【図１０】
2007267881.tif 000012
【図１１】
2007267881.tif 000013